(57)【要約】【課題】  磁気媒体を傷つけることなく、磁気媒体のスキューを防止でき、磁気情報の読み書きを安定して行うことができる磁気媒体処理装置を提供する。【解決手段】  本発明による磁気媒体処理装置は、磁気媒体を搬送方向と直交する媒体幅方向に移動させて基準面に押し付ける幅寄せ機構６を具備し、幅寄せ機構６で磁気媒体を基準面に押し付けながら磁気媒体を搬送させて磁気ヘッドにより磁気情報を読み書きするもので、幅寄せ機構６は、ステッピングモータ２７により幅方向に移動するスペーシングプレート２２、スペーシングプレート２２の移動により移動する幅寄せプレート２３、２４および幅寄せプレートの移動により幅寄せスプリング５１、５５に引っ張られて移動し、磁気媒体を押し付ける幅寄せレバー２５、２６を具備する。そして磁気媒体を基準面に第１の押し付け力により押し付けた後、該押し付け時とは大きさの異なる第２の押し付け力により磁気媒体を押し付けた状態で磁気媒体を搬送して磁気ヘッドにより磁気情報を読み書きする。【選択図】  図６
2007025983.tif 000002
【特許請求の範囲】
【請求項１】
磁気媒体を搬送させながら磁気ヘッドにより該磁気媒体に対して磁気情報を読み書きする磁気媒体処理装置において、
前記磁気媒体を搬送方向と直交する媒体幅方向に移動させて基準面に押し付ける幅寄せ機構を具備し、
前記幅寄せ機構で磁気媒体を前記基準面に押し付けながら該磁気媒体を搬送させて磁気ヘッドにより磁気情報を読み書きすることを特徴とする磁気媒体処理装置。
【請求項２】
前記幅寄せ機構は、磁気媒体を前記基準面に第１の押し付け力により押し付けた後、該押し付け時とは異なる第２の押し付け力により磁気媒体を押し付け、この状態で磁気媒体を搬送して磁気ヘッドにより磁気情報を読み書きする請求項１記載の磁気媒体処理装置。
【請求項３】
前記第２の押し付け力はモータの回転量により制御される請求項２記載の磁気媒体処理装置。
【請求項４】
前記第１の押し付け力と第２の押し付け力は、引っ張り力の異なる２種類のスプリングにより設定される請求項２記載の磁気媒体処理装置。
【請求項５】
前記幅寄せ機構は、左右両側に磁気媒体を幅寄せ可能である請求項２記載の磁気媒体処理装置。
【請求項６】
前記幅寄せ機構は、
モータの回転により前記媒体幅方向に移動するスペーシングプレートと、
前記スペーシングプレートの移動に伴って該スペーシングプレートと同方向に移動する幅寄せプレートと、
幅寄せスプリングにより前記幅寄せプレートに接続され、該幅寄せプレートの移動に伴ってタイミングを遅らせて該幅寄せプレートと同方向に移動して磁気媒体を前記第１の押し付け力により前記基準面に押し付け、磁気媒体を基準面に押し付けた後は前記モータの回転量により設定される前記幅寄せスプリングによる前記第２の押し付け力により磁気媒体を押し付ける幅寄せレバーとを有する請求項３記載の磁気媒体処理装置。
【請求項７】
前記幅寄せ機構は、
モータの回転により前記媒体幅方向に移動するスペーシングプレートと、
前記スペーシングプレートの移動に伴って該スペーシングプレートと同方向に移動する幅寄せプレートと、
第１の幅寄せスプリングにより前記幅寄せプレートに接続され、該幅寄せプレートの移動に伴って前記第１の幅寄せスプリングの引張力により該幅寄せプレートと同方向に移動する二段プレートと、
第２の幅寄せスプリングにより前記幅寄せプレートに接続され、前記二段プレートの移動に伴ってタイミングを遅らせて該二段プレートと同方向に移動して磁気媒体を前記基準面に押し付け、さらに磁気媒体を前記基準面に押し付けた後に前記二段プレートが当接して前記第１の幅寄せスプリングにより磁気媒体を押し付け、その後は前記第２の幅寄せスプリングによる前記第２の押し付け力により磁気媒体を押し付ける幅寄せレバーとを有し、
前記第１の幅寄せスプリングによる押し付け力と前記第２の幅寄せスプリングにより押し付け力とで前記第１の押し付け力を構成する請求項４記載の磁気媒体処理装置。
【発明の詳細な説明】
【技術分野】
【０００１】
本発明は、現金自動預払機に搭載される通帳記帳機等の磁気媒体（通帳）に対して磁気情報の読み書き等の処理を行う磁気媒体処理装置に関する。
【背景技術】
【０００２】
従来、現金自動預払機に搭載される通帳記帳機で記帳処理される通帳にはサイズの異なるものがある。このような通帳に対して磁気ストライプの読み取りや書き込みをするために、通帳を搬送路の側部に設けた基準面に突き当てて通帳を所定の位置に位置決めする必要がある。これを通常、幅寄せと呼んでいるが、幅寄せを行った後に行う磁気ストライプの読み書き処理には次の２通りのやり方がある。
【０００３】
ひとつは、ローラで通帳を所定の位置に固定しておき、磁気ヘッドを通帳の磁気ストライプ部に対向させた状態で移動させ、磁気ストライプの読み書きを行うやり方である。もうひとつは、磁気ヘッドを移動させず、通帳を所定の位置に位置決めした後、ローラで搬送させながら磁気ストライプの読み書きをするやり方である。通帳を搬送する際は、通帳を基準面に押し付ける力を除去した状態で搬送している。後者の例として、例えば特開２０００−２４７４９８号公報に開示されるものがある。
【特許文献１】特開２０００−２４７４９８号公報
【発明の開示】
【発明が解決しようとする課題】
【０００４】
しかしながら上記文献に開示される従来の幅寄せ機構においては、幅寄せを行った後、幅寄せ機構を幅寄せ方向の逆方向に駆動して通帳に対する押付力を除去し、その状態で通帳を搬送させて通帳に対する処理をするようにしているので、通帳搬送時の搬送ローラによる左右の負荷のバランスが均等でない場合、通帳がスキューを起こし、磁気ストライプの磁気データを誤読する惧れがあった。
【０００５】
また、通帳によっては開き癖のついているものがあり、開き癖のついている通帳が装置に挿入された場合には、開き癖を押さえながら通帳の幅寄せを行うようにしており、この場合には通帳を傷つける不具合が発生する惧れがあった。
【課題を解決するための手段】
【０００６】
上記課題を解決するために、本発明は、磁気媒体を搬送させながら磁気ヘッドにより該磁気媒体に対して磁気情報を読み書きする磁気媒体処理装置において、前記磁気媒体を搬送方向と直交する媒体幅方向に移動させて基準面に押し付ける幅寄せ機構を具備し、前記幅寄せ機構で磁気媒体を前記基準面に押し付けながら該磁気媒体を搬送させて磁気ヘッドにより磁気情報を読み書きすることを特徴とするものである。そして幅寄せ機構は、磁気媒体を基準面に第１の押し付け力により押し付けた後、該押し付け時とは大きさの異なる第２の押し付け力により磁気媒体を押し付け、この状態で磁気媒体を搬送して磁気ヘッドにより磁気情報を読み書きするようにしたものである。
【発明の効果】
【０００７】
上記構成の本発明によれば、幅寄せ機構が磁気媒体を基準面に対して第１の押し付け力により幅寄せし、この第１の押し付け力とは大きさの異なる第２の押し付け力により磁気媒体を押し付けた状態で搬送させながら通帳処理を行うので、磁気媒体を傷つけることなく、磁気媒体のスキューを防止でき、磁気情報の読み書きを安定して行うことができる。
【発明を実施するための最良の形態】
【０００８】
以下、本発明を実施するための形態を図面に従って説明する。図１は本発明の第１の実施の形態の通帳記帳機の要部を示す分解斜視図、図２は第１の実施の形態の通帳記帳機の概略構成を示す構成図である。まず図２により通帳記帳機の構成について説明する。なお以下に説明する各実施の形態では磁気媒体処理装置として通帳記帳機を例にして説明する。
【０００９】
図２において、通帳記帳機１には、通帳２が挿入される通帳挿入口３が設けられ、通帳挿入口３に接続して通帳搬送路４が設けられている。通帳搬送路４には上下に対を成す搬送ローラ５が複数設けられている。そして通帳搬送路４に沿って順次、幅寄せ機構６、磁気読み書き部７、オートターンページ部８、頁行検出部９、印字部１０、通帳カセット１１が設けられている。
【００１０】
幅寄せ機構６は本発明に関係する部分で、搬送されてきた通帳２を基準面に幅寄せして次の磁気読み書きを良好に行うようにするものである。具体的な構成については後述する。磁気読み書き部７は磁気ヘッドを有し、通帳２の磁気ストライプに対して磁気情報の書き込みおよび読み出しを行う。オートターンページ部８は、通帳２の見開きのページに印字可能な領域がなくなった場合に自動的に通帳２のページを捲る機構を有する。
【００１１】
頁行検出部９は、通帳２に設けられるページマークや印字済み行を光学的に検出する部分である。印字部１０は通帳２や帳票に対して印字処理をする部分で、印字ヘッド１０ａ、プラテン１０ｂおよびインクリボン１０ｃを具備する。通帳カセット１１は未発行の通帳２を繰り出し可能に収容する収容部１１ａ、１１ｂを有し、通帳の繰越が発生した場合にここから１冊の新通帳２を繰り出し、発行する。通帳カセット１１の下部には通帳取込部１２が設けられている。通帳取込部１２は、顧客に返却すべく通帳挿入口３に排出された通帳２を顧客が取り忘れた際に、その取り忘れた通帳２を保管しておくものである。
【００１２】
図３は第１の実施の形態の幅寄せ機構を示す側面図、図４は同実施の形態の幅寄せ機構を示す側面図で、図３の反対側から見た側面図、図５は同実施の形態の幅寄せ機構を示す平面図、図６は同実施の形態の幅寄せ機構を示す斜視図である。
【００１３】
これらの図および図１において、第１の実施の形態の幅寄せ機構６は、幅寄せブラケット２１、スペーシングプレート２２、幅寄せプレート２３、２４および幅寄せレバー２５、２６を具備している。幅寄せブラケット２１は通帳記帳機１のフレームに固定され、片面側（図３で示す側）にステッピングモータ２７、光学センサ２８が設けられ、他面側（図４で示す側）にモータギア２９、アイドルギア３０およびアイドルギア３１が設けられている。アイドルギア３０はモータギア２９と噛み合い、アイドルギア３１はアイドルギア３０と同軸の図示しないギアと噛み合っている。またアイドルギア３１はスペーシングプレート２２下部に形成されたラック部３２と噛み合っている。
【００１４】
また幅寄せブラケット２１の両端部にはスプリングの引っ掛け部３３、３４が形成されており、引っ掛け部３３にはリセットスプリング３５の一端が引っ掛けられ、他方の引っ掛け部３４にはリセットスプリング３６の一端が引っ掛けられている。なお図３および図５ではスプリングは矩形で示している。さらに幅寄せブラケット２１にはそれぞれ矩形の切欠き部３７、３８、３９、４０、４１が形成されている。
【００１５】
スペーシングプレート２２は図６に示す矢印Ａ方向または矢印Ｂ方向に移動可能に設けられている。スペーシングプレート２２にはそれぞれ矩形の切欠き部４２、４３、４４、４５が形成され、また下部には前述のラック部３２およびスリットブロック４６が形成されている。スリットブロック４６はスリット４７を有し、幅寄せブラケット２１の切欠き部４１に入り込み、光学センサ２８と対向するようになっている。
【００１６】
幅寄せプレート２３は図６に示す矢印Ａ方向または矢印Ｂ方向に移動可能に配設されている。幅寄せプレート２３には矩形の切欠き部４８、４９が形成され、さらにスプリング引っ掛け部５０が植設されている。スプリング引っ掛け部５０はスペーシングプレート２２側に突出するように形成され、スペーシングプレート２２の切欠き部４３を通過し、さらに幅寄せブラケット２１の切欠き部３８をも通過するように設けられる。スプリング引っ掛け部５０の先端部には幅寄せスプリング５１の一端が引っ掛けられる。
【００１７】
他方の幅寄せプレート２４も図６に示す矢印Ａ方向または矢印Ｂ方向に移動可能に配設されている。幅寄せプレート２４には矩形の切欠き部５２、５３が形成され、さらにスプリング引っ掛け部５４が植設されている。スプリング引っ掛け部５４はスペーシングプレート２２側に突出するように形成され、スペーシングプレート２２の切欠き部４４を通過し、さらに幅寄せブラケット２１の切欠き部３９をも通過するように設けられる。スプリング引っ掛け部５４の先端部には幅寄せスプリング５５の一端が引っ掛けられる。
【００１８】
幅寄せレバー２５は図６に示す矢印Ａ方向または矢印Ｂ方向に移動可能に配設されている。幅寄せレバー２５にはスプリング引っ掛け部５６および５７が形成されている。スプリング引っ掛け部５６は幅寄せプレート２３の切欠き部４８を通過し、さらに幅寄せブラケット２１の切欠き部３７に入り込むように設けられる。またスプリング引っ掛け部５７は幅寄せプレート２３の切欠き部４９を通過し、スペーシングプレート２２の切欠き部４２を通過し、さらに幅寄せブラケット２１の切欠き部３８を通過するように設けられている。スプリング引っ掛け部５７の先端部にはリセットスプリング３５の他端および幅寄せスプリング５１の他端が引っ掛けられている。
【００１９】
幅寄せレバー２６は図６に示す矢印Ａ方向または矢印Ｂ方向に移動可能に配設されている。幅寄せレバー２６にはスプリング引っ掛け部５８および５９が形成されている。スプリング引っ掛け部５８は幅寄せプレート２３の切欠き部５２を通過し、さらに幅寄せブラケット２１の切欠き部４０に入り込むように設けられる。またスプリング引っ掛け部５９は幅寄せプレート２３の切欠き部５３を通過し、スペーシングプレート２２の切欠き部４５を通過し、さらに幅寄せブラケット２１の切欠き部３９を通過するように設けられている。スプリング引っ掛け部５９の先端部にはリセットスプリング３６の他端および幅寄せスプリング５５の他端が引っ掛けられている。
【００２０】
幅寄せレバー２５、２６は装置内に挿入され、搬送されてきた通帳２を図示しない基準面に対して直接的に押し付ける部材で、それぞれの水平部２５ａ、２６ｂには図示していないが通帳２に当接する押し付けブロックが取り付けられるものである。
【００２１】
次にリセットスプリングおよび幅寄せスプリングについて説明する。リセットスプリング３５は引っ張りスプリングで、幅寄せブラケット２１の引っ掛け部３３と幅寄せレバー２５のスプリング引っ掛け部５７に引っ掛けられ、幅寄せレバー２５を図６に示す矢印Ａ方向に引っ張っている。幅寄せスプリング５１は引っ張りスプリングで、幅寄せプレート２３のスプリング引っ掛け部５０と幅寄せレバー２５のスプリング引っ掛け部５７の間に配設されている。幅寄せスプリング５１はリセットスプリング３５よりテンションが大きく設定されており、そのためリセットスプリング３５に打ち勝つ幅寄せスプリング５１の引っ張り力により、幅寄せレバー２５が幅寄せプレート２３に対して相対的に矢印Ｂ方向に引っ張られている。しかしながらスプリング引っ掛け部５７が幅寄せプレート２３の切欠き部４９の端部４９ａに当接した位置で静止している。
【００２２】
リセットスプリング３６は引っ張りスプリングで、幅寄せブラケット２１の引っ掛け部３４と幅寄せレバー２６のスプリング引っ掛け部５９に引っ掛けられ、幅寄せレバー２６を図６に示す矢印Ｂ方向に引っ張っている。幅寄せスプリング５５は引っ張りスプリングで、幅寄せプレート２４のスプリング引っ掛け部５４と幅寄せレバー２６のスプリング引っ掛け部５９の間に配設されている。幅寄せスプリング５５はリセットスプリング３６よりテンションが大きく設定されており、そのためリセットスプリング３６に打ち勝つ幅寄せスプリング５５の引っ張り力により、幅寄せレバー２６が幅寄せプレート２４に対して相対的に矢印Ａ方向に引っ張られている。しかしながらスプリング引っ掛け部５９が幅寄せプレート２４の切欠き部５３の端部５３ａに当接した位置で静止している。
【００２３】
次に第１の実施の形態の動作を説明する。ここでは通帳２の磁気情報の読み書き時における幅寄せ機構６による通帳の幅寄せ動作について説明する。図２において通帳２が通帳挿入口３から挿入されると、搬送ローラ５により通帳２は幅寄せ機構６に搬送される。幅寄せ機構６において通帳２は図６に示す矢印Ｃ方向から搬送され、幅寄せブラケット２１の上部を通過するようになっている。ここでは通帳２を幅寄せレバー２６側にある図示しない基準面に押し付けて幅寄せを行う場合について図７に示すフローチャートにしたがって説明する。図７は第１の実施の形態の磁気情報の読み書き動作を示すフローチャートである。
【００２４】
挿入された通帳２が搬送ローラ５により搬送され（ステップ１）、幅寄せ機構６に搬送されてきたことを図示しないセンサにより検出すると（ステップ２）、通帳２の搬送が停止され（ステップ３）、ステッピングモータ２７が駆動される（ステップ４）。ステッピングモータ２７の回転方向は通帳２の幅寄せ方向により決定される。通帳２を幅寄せレバー２６側に幅寄せする場合はステッピングモータ２７を図３に示す矢印Ｄ方向に回転させる。
【００２５】
ステッピングモータ２７の回転によりモータギア２９が回転し、アイドルギア３０およびスペーシングプレート２２のラック部３２に噛み合うアイドルギア３１を介してスペーシングプレート２２を矢印Ｂ方向に移動させる。スペーシングプレート２２が矢印Ｂ方向に移動すると、スペーシングプレート２２の切欠き部４３に入り込んでいるスプリング引っ掛け部５０が切欠き部４３の端部４３ａに押され、幅寄せプレート２３がスペーシングプレート２２と同方向に移動する。なお移動前のホームポジションにおいて、スプリング引っ掛け部５０は切欠き部４３の端部４３ａに近接した位置にある。
【００２６】
幅寄せプレート２３が移動すると、幅寄せスプリング５１の引っ張り力によりスプリング引っ掛け部５７が引っ張られ、幅寄せレバー２５が同方向に移動する。ここでスプリング引っ掛け部５７はリセットスプリング３５により矢印Ａ方向に引っ張られているが、幅寄せスプリング５１の方がリセットスプリング３５よりテンションが大きいので、幅寄せスプリング５１は伸びずにリセットスプリング３５だけが伸びる。
【００２７】
幅寄せレバー２５が移動することにより、図示しない押し付けブロックを介して通帳２に当接し、さらに移動して通帳２を図示しない基準面に押し付けると、幅寄せレバー２５はそれ以上は移動しない。さらにステッピングモータ２７が回転すると、幅寄せレバー２５は停止したままでスペーシングプレート２２および幅寄せプレート２３が移動を続ける。このとき幅寄せプレート２３のスプリング引っ掛け部５０と幅寄せレバー２５のスプリング引っ掛け部５７との間隔が開き、幅寄せスプリング５１が伸びる。このとき幅寄せスプリング５１の伸びた分の押し付け力が幅寄せレバー２５を介して通帳２に新たに加わる。力が加わることにより通帳２は確実に基準面に押し付けられる。
【００２８】
スペーシングプレート２２が矢印Ｂ方向に移動することにより、スリットブロック４６が移動するので、そのスリット４７がセンサ２８により検出される（ステップ５）。センサ２８がスリット４７を検出する時点は、幅寄せレバー２５が通帳２を基準面に押し付けた後、さらに幅寄せプレート２３が移動した後になるように設定されている。したがってセンサ２８がスリット４７を検出する時点では、幅寄せスプリング５１の伸びた分の押し付け力が幅寄せレバー２５を介して通帳２に加えられている。センサ２８がスリット４７を検出すると、ステッピングモータ２７を停止する（ステップ６）。
【００２９】
以上の動作で通帳２は基準面に押し付けられている。この後、通帳２の磁気ストライプの読み書き動作に進む。磁気ストライプの読み書きの際は、通帳２に対して幅寄せレバー２５を押し付けているが、幅寄せ時よりは押し付け力を小さくする。そのためにステッピングモータ２７を幅寄せ時とは逆方向に、すなわち、図３に示す矢印Ｅ方向に一定量回転する（ステップ７）。
【００３０】
ステッピングモータ２７を矢印Ｅ方向に一定量回転することにより、スペーシングプレート２２が矢印Ａ方向に移動し、幅寄せプレート２３のスプリング引っ掛け部５０と幅寄せレバー２５のスプリング引っ掛け部５７との間隔が狭まり、幅寄せスプリング５１のテンションが弱くなる。これにより通帳２に対する押し付け力が弱くなり、通帳２を傷つけることなく搬送することが可能になる。すなわち、ステッピングモータ２７の矢印Ｅ方向への回転量は、通帳２に対する押し付け力が、通帳２を傷つけることなく搬送することを可能とする大きさになるように設定される。
【００３１】
その後搬送ローラ５を回転し（ステップ８）、通帳２を搬送するとともに、磁気読み書き部７により通帳２の磁気ストライプに対して磁気情報の読み書きを行う（ステップ９）。以上により通帳２の幅寄せ動作および磁気情報の読み書き動作を終了する。
【００３２】
なお通帳２を上記とは反対側の基準面に幅寄せする場合は、ステッピングモータ２７の回転方向を上記とは逆方向にし、スペーシングプレート２２を矢印Ａ方向に移動させ、幅寄せプレート２４および幅寄せレバー２６を同方向に移動させる。幅寄せレバー２６により通帳２を基準面に押し付け、さらに幅寄せスプリング５５のテンションにより通帳２を十分に押し付けた後、ステッピングモータ２７を逆方向に回転させて通帳２に対する押し付け力を弱め、通帳２を傷つけない程度の押し付け力にした後、磁気情報の読み書き動作を行う。このように、本発明の幅寄せ部６は左右どちら側に基準面があっても幅寄せ動作が可能な構成となっている。
【００３３】
以上のように第１の実施の形態によれば、通帳２の幅寄せ時には幅寄せスプリング５１、５５のテンションによる十分な押し付け力で通帳２を押し付けて幅寄せし、幅寄せした後は幅寄せ時よりは押し付け力を弱め、その状態で通帳２を搬送して磁気情報の読み書き動作を行うので、幅寄せを確実に行うことができるとともに、磁気情報の読み書き動作時には通帳２を傷つけることなく、かつスキューすることなく読み書き動作を行うことができる。
【００３４】
次に第２の実施の形態を説明する。図８は第２の実施の形態の通帳記帳機の要部を示す分解斜視図、図９は第２の実施の形態の幅寄せ機構を示す側面図、図１０は第２の実施の形態の幅寄せ機構を示す側面図で、図９の反対側から見た側面図、図１１は第２の実施の形態の幅寄せ機構を示す平面図、図１２は第２の実施の形態の幅寄せ機構を示す斜視図である。第２の実施の形態は、第１の実施の形態の構成に加えて二段プレートを設け、磁気情報の読み書き動作時における通帳に対する適正な押し付け力を容易に設定可能にしたものである。
【００３５】
これらの図において、第２の実施の形態の幅寄せ機構６０では、二段プレート６１、６２が幅寄せブラケット２１に矢印Ａ、Ｂ方向に移動可能に配設されている。二段プレート６１、６２はスペーシングプレート２２の反対側に設けられ、二段プレート６１にはスプリング引っ掛け部６３および切欠き部６４、６５が形成されている。
【００３６】
幅寄せプレート２３のスプリング引っ掛け部５０は、スペーシングプレート２２の切欠き部４３、幅寄せブラケット２１の切欠き部３８および二段プレート６１の切欠き部６５を通過してステッピングモータ２７側に突出している。また幅寄せレバー２５のスプリング引っ掛け部５７は、幅寄せプレート２３の切欠き部４９、スペーシングプレート２２の切欠き部４２、幅寄せブラケット２１の切欠き部３８および二段プレート６１の切欠き部６４を通過してステッピングモータ２７側に突出している。
【００３７】
二段プレート６１のスプリング引っ掛け部６３と幅寄せプレート２３のスプリング引っ掛け部５０との間には引っ張りスプリングである幅寄せスプリング６６が掛け渡されている。この幅寄せスプリング６６のテンションにより、スプリング引っ掛け部５０は二段プレート６１の切欠き部６５の端部６５ａに当接している。即ち、図１３に示すスプリング引っ掛け部５０と二段プレート６１の切欠き部６５の端部６５ａとの隙間Ｆ＝０となっている。なお図１３は二段プレート６１を示す側面図である。
【００３８】
幅寄せプレート２３のスプリング引っ掛け部５０と幅寄せレバー２５のスプリング引っ掛け部５７との間には引っ張りスプリングである幅寄せスプリング弱６７が掛け渡されている。幅寄せスプリング弱６７は幅寄せスプリング６６よりテンションは小さく設定されている。また幅寄せブラケット２１の引っ掛け部３３と二段プレート６１のスプリング引っ掛け部６３との間には引っ張りスプリングであるリセットスプリング６８が掛け渡されている。リセットスプリング６８は幅寄せスプリング６６よりテンションは小さく設定されている。
【００３９】
他方の二段プレート６２にはスプリング引っ掛け部６９および切欠き部７０、７１が形成されている。幅寄せプレート２４のスプリング引っ掛け部５４は、スペーシングプレート２２の切欠き部４４、幅寄せブラケット２１の切欠き部３９および二段プレート６２の切欠き部７１を通過してステッピングモータ２７側に突出している。また幅寄せレバー２６リング引っ掛け部５９は、幅寄せプレート２４の切欠き部５３、スペーシングプレート２２の切欠き部４５、幅寄せブラケット２１の切欠き部３９および二段プレート６２の切欠き部７０を通過してステッピングモータ２７側に突出している。
【００４０】
二段プレート６２のスプリング引っ掛け部６９と幅寄せプレート２４のスプリング引っ掛け部５４との間には引っ張りスプリングである幅寄せスプリング７２が掛け渡されている。この幅寄せスプリング７２のテンションにより、スプリング引っ掛け部５４は二段プレート６２の切欠き部７１の端部７１ａに当接している。
【００４１】
幅寄せプレート２４のスプリング引っ掛け部５４と幅寄せレバー２６のスプリング引っ掛け部５９との間には引っ張りスプリングである幅寄せスプリング弱７３が掛け渡されている。幅寄せスプリング弱７３は幅寄せスプリング７２よりテンションは小さく設定されている。また幅寄せブラケット２１の引っ掛け部３４と二段プレート６２のスプリング引っ掛け部６９との間には引っ張りスプリングであるリセットスプリング７４が掛け渡されている。リセットスプリング７４は幅寄せスプリング７２よりテンションは小さく設定されている。その他の構成は前記第１の実施の形態と同様になっている。
【００４２】
次に第２の実施の形態の動作を説明する。ここでも通帳２の磁気情報の読み書き時における幅寄せ部６による通帳の幅寄せ動作について説明する。第１の実施の形態と同様に、図２に示す通帳挿入口３から挿入された通帳２が搬送ローラ５により搬送され、幅寄せ部６に搬送されてきたことを図示しないセンサにより検出すると、通帳２の搬送が停止され、ステッピングモータ２７が駆動される。ステッピングモータ２７の回転方向は通帳２の幅寄せ方向により決定される。通帳２を幅寄せレバー２６側に幅寄せする場合はステッピングモータ２７を図９に示す矢印Ｄ方向に回転させる。
【００４３】
ステッピングモータ２７の回転によりモータギア２９が回転し、アイドルギア３０およびスペーシングプレート２２のラック部３２に噛み合うアイドルギア３１を介してスペーシングプレート２２を矢印Ｂ方向に移動させる。スペーシングプレート２２が矢印Ｂ方向に移動すると、スペーシングプレート２２の切欠き部４３に入り込んでいる幅寄せプレート２３のスプリング引っ掛け部５０が切欠き部４３の端部４３ａに押され、幅寄せプレート２３がスペーシングプレート２２と同方向に移動する。
【００４４】
幅寄せプレート２３が移動すると、幅寄せスプリング６６の引っ張り力によりスプリング引っ掛け部６３が引っ張られ、二段プレート６１が矢印Ｂ方向に移動する。ここでスプリング引っ掛け部６３はリセットスプリング６８により矢印Ａ方向に引っ張られているが、幅寄せスプリング６６の方がリセットスプリング６８よりテンションが大きいので、幅寄せスプリング６６は伸びずにリセットスプリング６８だけが伸びる。
【００４５】
また幅寄せスプリング弱６７がスプリング引っ掛け部５０と幅寄せレバー２５のスプリング引っ掛け部５７との間に配設されているので、幅寄せプレート２３が移動すると、幅寄せスプリング弱６７の引っ張り力により幅寄せレバー２５が矢印Ｂ同方向に移動する。
【００４６】
幅寄せレバー２５が移動することにより、図示しない押し付けブロックを介して通帳２に当接し、さらに移動して通帳２を図示しない基準面に押し付けると、幅寄せレバー２５はそれ以上は移動しない。さらにステッピングモータ２７が回転すると、幅寄せレバー２５は停止したままでスペーシングプレート２２および幅寄せプレート２３が移動を続ける。このとき幅寄せプレート２３のスプリング引っ掛け部５０と幅寄せレバー２５のスプリング引っ掛け部５７との間隔が開き、幅寄せスプリング弱６７が伸びる。なおこのとき二段プレート６１は幅寄せプレート２３とともに移動を続ける。幅寄せレバー２５が停止して二段プレート６１が移動を続けると、図１３に示す二段プレート６１の切欠き部６４の端部６４ａと幅寄せレバー２５のスプリング引っ掛け部５７との間隔Ｇが０（ゼロ）になり、二段プレート６１の移動が停止する。さらに幅寄せプレート２３が移動を続けると、幅寄せスプリング６６が伸びる。
【００４７】
このとき通帳２には、幅寄せスプリング弱６７による押し付け力と幅寄せスプリング６６により押し付け力の両方が加えられる。この両方の押し付け力で通帳は確実に基準面に押し付けられる。
【００４８】
スペーシングプレート２２が矢印Ｂ方向に移動することにより、スリットブロック４６が移動するので、そのスリット４７がセンサ２８により検出される。センサ２８がスリット４７を検出する時点は、幅寄せレバー２５が通帳２を基準面に突き当たって停止し、さらに二段プレート２３が停止した後になるように設定されている。したがってセンサ２８がスリット４７を検出した時点では、幅寄せスプリング弱６７による押し付け力および幅寄せスプリング６６による押し付け力が幅寄せレバー２５を介して通帳２に加えられている。センサ２８がスリット４７を検出すると、ステッピングモータ２７を停止する。
【００４９】
以上の動作で通帳２は基準面に押し付けられている。この後、通帳２の磁気ストライプの読み書き動作に進む。磁気ストライプの読み書きの際は、通帳２に対して幅寄せレバー２５を押し付けているが、幅寄せ時よりは押し付け力を小さくする。即ち、幅寄せスプリング弱６７による押し付け力のみで通帳２を押し付ける状態にする。そのためにステッピングモータ２７を幅寄せ時とは逆方向に、すなわち、図３に示す矢印Ｅ方向に一定量回転する。
【００５０】
ステッピングモータ２７を矢印Ｅ方向に一定量回転することにより、スペーシングプレート２２が矢印Ａ方向に移動し、幅寄せプレート２３も同方向に移動して幅寄せプレート２３のスプリング引っ掛け部５０が二段プレート６１の切欠き部６５の端部６５ａに当接すると、二段プレート６１が矢印Ａ方向に移動を開始する。二段プレート６１が移動を開始すると、二段プレート６１の切欠き部６４の端部６４ａが幅寄せレバー２５のスプリング引っ掛け部５７から離れ、幅寄せスプリング６６の引っ張り力が押し付け力として通帳２に加えられなくなる。したがって幅寄せスプリング弱６７の押し付け力のみが通帳２に加えられる状態になる。この状態になるまで、ステッピングモータ２７が逆回転される。幅寄せスプリング弱６７の押し付け力のみが通帳２に加えられる状態では、通帳２を傷つけることなく搬送することが可能である。
【００５１】
その後搬送ローラ５を回転し、通帳２を搬送するとともに、磁気読み書き部７により通帳２の磁気ストライプに対して磁気情報の読み書きを行う。以上により通帳２の幅寄せ動作および磁気情報の読み書き動作を終了する。
【００５２】
なお通帳２を上記とは反対側の基準面に幅寄せする場合は、ステッピングモータ２７の回転方向を上記とは逆方向にし、スペーシングプレート２２を矢印Ａ方向に移動させ、幅寄せプレート２４、二段プレート６２および幅寄せレバー２６を同方向に移動させる。幅寄せスプリング弱７３の押し付け力により幅寄せレバー２６を介して通帳２を基準面に押し付け、さらに幅寄せスプリング７２の押し付け力により通帳２を十分に押し付けた後、ステッピングモータ２７を一定量逆方向に回転させて通帳２に対する押し付け力を幅寄せスプリング弱７３による押し付け力だけにすることにより、通帳２を傷つけない程度の押し付け力にし、その後磁気情報の読み書き動作を行う。
【００５３】
以上のように第２の実施の形態によれば、通帳２の幅寄せ時には幅寄せスプリング弱６７、７３および幅寄せスプリング６６、７２による十分な押し付け力で通帳２を押し付けて幅寄せし、幅寄せした後は幅寄せスプリング弱６７、７３による押し付け力のみで押し付け、その状態で通帳２を搬送して磁気情報の読み書き動作を行うので、幅寄せを確実に行うことができるとともに、磁気情報の読み書き動作時における押し付け力を安定的に得ることができ、通帳２を傷つけることなく、かつスキューすることのない読み書き動作を安定して行うことができる。
【００５４】
上記各実施の形態では通帳記帳機における通帳の幅寄せを例にして説明したが、本発明による幅寄せ機構は、通帳以外の磁気情報を読み書きする媒体の幅寄せにも適用可能である。例えば、磁気ストライプを有する航空券等の券発行装置にも適用可能である。
【図面の簡単な説明】
【００５５】
【図１】第１の実施の形態の通帳記帳機の要部を示す分解斜視図である。
【図２】第１の実施の形態の通帳記帳機の概略構成を示す構成図である。
【図３】第１の実施の形態の幅寄せ部を示す側面図である。
【図４】第１の実施の形態の幅寄せ部を示す側面図である。
【図５】第１の実施の形態の幅寄せ部を示す平面図である。
【図６】第１の実施の形態の幅寄せ部を示す斜視図である。
【図７】第１の実施の形態の磁気情報の読み書き動作を示すフローチャートである。
【図８】第２の実施の形態の通帳記帳機の要部を示す分解斜視図である。
【図９】第２の実施の形態の幅寄せ部を示す側面図である。
【図１０】第２の実施の形態の幅寄せ部を示す側面図である。
【図１１】第２の実施の形態の幅寄せ部を示す平面図である。
【図１２】第２の実施の形態の幅寄せ部を示す斜視図である。
【図１３】二段プレート６１を示す側面図である。
【符号の説明】
【００５６】
１  通帳記帳機
２  通帳
６、６０  幅寄せ機構
２１  幅寄せブラケット
２２  スペーシングプレート
２３、２４  幅寄せプレート
２５、２６  幅寄せレバー
２７  ステッピングモータ
３５、３６、６８、７４  リセットスプリング
５１、５５、６６、７２  幅寄せスプリング
６１、６２  二段プレート
６７、７３  幅寄せスプリング弱
【図１】
2007025983.tif 000003
【図２】
2007025983.tif 000004
【図３】
2007025983.tif 000005
【図４】
2007025983.tif 000006
【図５】
2007025983.tif 000007
【図６】
2007025983.tif 000008
【図７】
2007025983.tif 000009
【図８】
2007025983.tif 000010
【図９】
2007025983.tif 000011
【図１０】
2007025983.tif 000012
【図１１】
2007025983.tif 000013
【図１２】
2007025983.tif 000014
【図１３】
2007025983.tif 000015